(57)【要約】【課題】さまざまな機能および外観を有する、選ばれたつま革および靴底によっていつでも作り変えることのできる組み合わせ靴を提供すること。【解決手段】本発明の組み合わせ靴は、靴底、つま革、および完全な靴を形成するためにつま革と靴底とを素早く結合するために使用する取り付け手段からなる。取り付け手段は、靴底の前部に位置する、つま革の先端をバックルで留めるための前部キャップと、靴底の後部に位置する、つま革の踵をバックルで留めるための後部キャップと、つま革および靴底の両方の半底／踵に位置する、つま革と靴底との間の相対移動を防ぐための２対の合致した滑り止めプレートと、靴底につま革をきつく押しつける多数の加圧手段とを含む。本発明による組み合わせ靴は、組み合わせ数を大幅に増加させ、靴の購入費用を半減させることが可能である等、多くの効果を奏する。【選択図】図５
2011115276.tif 000002
【特許請求の範囲】
【請求項１】
つま革と、
靴底の前部に位置する、前記つま革の先端をバックルで留めるための前部キャップと、
前記靴底の後部に位置する、前記つま革の踵をバックルで留めるための後部キャップと、
前記つま革および前記靴底の両方の半底／踵に位置する、前記つま革と前記靴底との間の相対移動を防ぐための２対の合致した滑り止めプレートと、
前記靴底に前記つま革をきつく押しつける多数の加圧手段と
から構成されている組み合わせ靴。
【請求項２】
前記滑り止めプレートは、多数の合致した真っ直ぐな歯状突起粒であり、前記つま革および前記靴底の接触面に一体的に製造されており、半底／踵部分に位置する、請求項１に記載の組み合わせ靴。
【請求項３】
前記滑り止めプレートは、複数の合致したＶ字型の歯状突起粒であり、前記つま革および前記靴底の接触面に一体的に製造されており、半底／瞳部分に位置する、請求項１に記載の組み合わせ靴。
【請求項４】
前記加圧手段は使用者の足の甲周りにおける、単一または複数のきつく締めたひもである、請求項１に記載の組み合わせ靴。
【請求項５】
前記加圧手段は使用者の足の甲に圧力を全くかけない、前記つま革および前記靴底の接触面の間にあるベルクロ・ファスナーである、請求項１に記載の組み合わせ靴。
【請求項６】
前記加圧手段は使用者の足の甲に圧力を全くかけない、前記つま革および前記靴底の周り、ならびに前記つま革と前記靴底との間にある自動ロック式ジッパーである、請求項１に記載の組み合わせ靴。
【請求項７】
前記靴底は外側靴底、中間靴底、および内側靴底を含み、前記中間靴底と前記内側靴底との間にＥＶＡ充填層がある、請求項１に記載の組み合わせ靴。
【発明の詳細な説明】
【技術分野】
【０００１】
本発明は履物に関するものであり、特に、さまざまな機能および外観を得るための、さまざまな靴底とつま革（靴の甲）とを自由に組み合わせることが可能な、組み合わせ靴に関
する。
【背景技術】
【０００２】
今まで、靴は単一の機能および外観を有していた。例を挙げると、テニスをするときにはテニスシューズを履き、ダンスをするときはダンスシューズを履き、雨の降っているときはオーバーシューズを履く。靴はすべて靴底とっま革が組み合わされており、これら２つの部品は一体化し、かつ不可分であるように固定されている。
【０００３】
科学の発展および製造技術の向上とともに、人々は従来の靴に多くの欠点があることに気づいた。前述の欠点の一つは、材料および労働時間の無駄である。例を挙げると、ダンスシューズには、ワックスが塗られた床を容易に滑るように動くための革製の硬い半底があり、一方でそのヒールは簡単に停止できるようにゴム製である。なお、つま革もドレスに合っていることが望まれる。そのためダンスシューズは、選択できるように、さまざまな色および外観で多数のダンスシューズがある必要がある。したがって、各人が何ダースもダンスシューズを所持しているのは珍しいことではない。実際、これは靴底のためではない。なぜなら誰も入生においてダンスによって何足も靴底を擦り減らすことはないからである。ダンスシューズをいくつも購入する理由は、多種のつま革を選択することにある。
【０００４】
スポーツ用の履物の場合、条件はその逆である。いかなるスポーツ用の履物でも、つま革と靴の甲との間にぴったり合うべきであり、その他方で靴底はスポーツによって異なる。例えば、屋内でバスケットボールをする場合、滑り止めとして靴底はザラザラしている必要がある。屋外でバスケットボールをする場合、特に粗いセメントの地面でする場合、摩擦を低下させるために靴底は潤滑にする必要がある。サイクリング用シューズの場合には、半底が使用され、テニスシューズの場合は全底が使用されている。それらはかなり異なる。したがって、異なるスポーツをするには多種の靴が必要となる。
【０００５】
ダンスとスポーツの両方が好きな人は、日常的にその中から靴を選ぶために、多数のダンスシューズおよび多数のスポーツシューズを所持していなければならない。これは高額であり、所持者はさらに多くの靴型およびそれらは入れるための場所を購入する必要もある。
【０００６】
先行技術の靴のもう一つの欠点は、屋内および屋外の両方で使用されていることである。
【０００７】
例えば、誰かが靴を履いてオフィスを出て患者を診察に行くとする。その後、その人は仕事をしにオフィスに戻る。この全過程において、この人は同じ靴を履いている。過去には、日本人は入室する前に靴を脱いでいた。近年においては、病院、オフィス、映画館などの多くの公共施設は全員に屋内用の靴を支給できないために、この良い習慣は減弱化している。したがって、屋内屋外両用の靴は、屋外使用により屋内の清潔さを低下させている。
【発明の概要】
【発明が解決しようとする課題】
【０００８】
本発明によって解決することを意図する技術的課題は、上記欠点を解消し、いつでも異なる機能および外観を備えている靴底およびつま革を選び合わせる、組み合わせ靴の一種を提供することである。本発明は、多数の組み合わせが可能であるだけではなく、さらに費用を減少させる。例えば、つま革と靴底とは素早く分けたり組み合わせたりできるため、入室する人は靴底を外すだけでよく、部屋の清潔さおよび足の温かさは保たれ、足の悪臭は拡散しない。
【課題を解決するための手段】
【０００９】
上記の如き靴を作成するには、本発明の組み合わせ靴は、つま革、靴底、およびつま革と靴底を結合する取り付け手段からなる。前述の取り付け手段は、つま革の先端をバックルで留めるための靴底の前部に位置する前部キャップ、つま革の踵をバックルで留めるための靴底の後部に位置する後部キャップ、つま革および靴底の両方の半底に位置する滑り止めプレート２組、および、つま革および靴底の両方の踵にある、つま革と靴底との間の滑り止めとして互いに合致した、靴底につま革を固く押しつけるための複数の加圧手段を含む。
【００１０】
前記滑り止めプレートは、つま革および靴底の両方の半底および踵の接触部分にそれぞれある多数の対になった真っ直ぐな歯状突起粒である。
【００１１】
前記滑り止めプレートは、つま革および靴底の両方の半底および踵の接触部分にそれぞれある多数の対になったＶ字の歯状突起粒である。
【００１２】
前記加圧手段は、使用者の足の甲の周りにある単一または複数のきつく締めたひもである。
【００１３】
前記加圧手段は、つま革および靴底の両方の半底および踵の接触部分に位置するベルクロ・ファスナーである。これは使用者の足の甲に全く圧力をかけない。
【００１４】
前記加圧手段は、つま革および靴底の両方の周りおよびその間にある自動ロック式のジッパーであり、これは使用者の足の甲に全く圧力をかけない。
【００１５】
前記靴底それぞれには、外側靴底、中間靴底、および内側靴底が含まれる。中開靴底と内側靴底との間には、エチレン酢酸ビニル共重合体（ＥＶＡ）を充填した層がある。
【００１６】
前述の構造の靴において、靴底とつま革とは別個に製造される。靴底とつま革とは、使用直前に組み合わされて完全な靴となる。組み合わせ靴は、使用者にとって、ダンスシューズのつま革の対を多数およびダンスシューズの靴底一対のみを購入するだけでよく、スポーツシューズの靴底の対を多数およびスポーツシューズのつま革一対のみを購入するだけでよい利点がある。ゆえに、機能は変わらないまま、コストは半減する。同時に、材料および作業時間を大幅に減少させる。使用者が入室するときには靴底を外すだけでよく、その際つま革に薄い靴底がついたものを履いている。これによって、人は靴を履いたままでも汚れた靴で入室することはない。したがって、冬季には使用者は足を温かくすることができ、夏季には足の悪臭が拡散するのを防ぐ。社会全体にとっては、公共の屋内使用の靴が間に合い、古き良き日本の習慣は復活する。本発明を先行技術と比較すると、本発明は、使用の容易さ、組み合わせの多数さ、および費用の半減という利点がある。
【図面の簡単な説明】
【００１７】
【図１】本発明による組み合わせ靴の完成品の組立図である。
【図２】図１の上面図である。
【図３】図１の底面図である。
【図４】図１の左側面図である。
【図５】図４の線Ａ−Ａにおける断面図である。
【図６】図４の線Ｂ−Ｂ１における断面図である。
【図７】図４の線Ｃ−Ｃ１における断面図である。
【図８】図４の線Ｄ−Ｄ１における断面図である。
【図９】図４の線Ｅ−Ｅ１における断面図である。
【図１０】図８の線Ｇ−Ｇ１の断面の部分拡大図である。
【図１１】靴底の凹凸の線Ｆ−Ｆ１の断面の部分拡大図である。
【図１２】本発明による新型組み合わせ靴のつま革の部分組立図である。
【発明を実施するための形態】
【００１８】
図面と合わせて実施形態を以下に説明する。第一に、図１、図２、図３および図４だが、図１は本発明による組み合わせ靴の完成品の組立図であり、図２は図１の上面図であり、図３は図１の底面図であり、図４は図１の線Ａ−Ａにおける断面図である。Ａ−Ａの断面において、靴底１０、つま革２０、つま革２０の踵をバックルで留めるための靴底１０の前部に位置する前部キャップ１６、つま革２０の踵をバックルで留めるための靴底１０の後部に位置する後部キャップ１５、つま革と靴底との間の滑り止め用の２対の合致した滑り止めプレート１３でそれぞれが半底／踵に位置するもの、および靴底につま革をきつく押しつける多数の加圧手段からなる本発明による組み合わせ靴が示されている。各前記靴底１０は、外側靴底１１、中間靴底１２、および内側靴底２２を含む。中間靴底１１と内側靴底２２との間にはＥＶＡ充填物の層１８がある。図中において、１１がゴム製の外側靴底、１２がＥＶＡ中間靴底、１３がＥＶＡ中間靴底に組み込まれたＴＰＵ（熱可塑性ポリウレタン樹脂）滑り止めプレートであり、それぞれ半底／踵に位置している。図中において、１４は外側靴底１１のＴＰＵ挿入物、１５はＴＰＵ後部キャップ、１６はＴＰＵ前部キャップ、１７はＴＰＵ製のきつく締めたひも、２０はいかなる種類の天然革／合革から製造することができるつま革、２２は屋内使用用のＥＶＡ充填靴底である。
【００１９】
図１、図２、図３、図４、および図９に言及すると、本発明による組み合わせ靴は、多種の取り付け手段を使用してつま革を靴底に結合することで一体化した靴を形成している。これらの取り付け手段は、２対の滑り止めプレート１３でそれぞれが多数の歯状突起粒を有している。通常、これらは半底／踵に位置しており、図４においてそれははっきりと見ることができる。図９において、線Ｇ−Ｇ１における断面によって、２つの上下の滑り止めプレートの合致が示されている。図９に示されているように、２つの滑り止めが合致すると、図において上下の相対移動が起こらなくなる。
【００２０】
図４において、靴底１０にある前部キャップ１６および後部キャップ１５は、靴底１０につま革２０を固定するために使用される。外側靴底１１の挿入部１４から延びたきつく締めたひも１７は、靴底１０につま革２０を固く押しつけている。
【００２１】
図１１は、本発明による新型組み合わせ靴のつま革の部分組立図である。図１１において、２０がつま革であり、天然革／合革製のつま革２１、ＥＶＡ充填屋内靴底２２、およびＰＴＵ滑り止めプレート１３からなり、これらは半底／踵に一体として製造されている。図１１において、つま革２０は確かに完全な靴であることを示している。よって、靴底１０を取り外すことによって、つま革２０は屋内用のスリップオン式の靴として履くことが可能である。
【００２２】
図５から図８までは、図４の異なる位置における断面図である。これらの図は、靴底１０およびきつく締めた１７を示すために使用されている。
【００２３】
本発明による組み合わせ靴は、上記にその実施形態を記載しているが、上記実施形態および記載は本発明による組み合わせ靴をそれに制限するものではない。例えば、上記の例では滑り止めプレートは真っ直ぐで平行した歯状突起粒を有しているが、そのため作業者は、はしご歯状プレートと呼ぶ。歯状突起の機能は、つま革２０が靴底１０上で前後に滑らないようにすることである。当業者であれば、真っ直ぐな歯状突起粒をＶ字型のものに変更可能であり、よってつま革２０が靴底１０上でいかなる方向にも滑らないようにすることが可能である。
【００２４】
さらに、本発明による組み合わせ靴は、屋内靴底２２の滑り止めプレートを靴底１０の滑り止めプレート１３に固く押しつけるためのきつく締めるひもで、使用者の足の甲周りにつけ、最も簡素で最も廉価なものを採用している。それをすることによって、使用者の足の甲はその圧力を窮屈に感じるに違いない。当業者であれば、単純にベルクロ等の手段を用いて、足の甲に全く圧力がかからないように靴底１０につま革２０を固定することも可能である。
【００２５】
自動ロック式ジッパーも、靴底１０およびつま革２０の周りに使用することができ、この２つを引き合わせることが可能である。これによって、例え使用者が引き離そうとしても、ジッパーは離れない。
【符合の説明】
【００２６】
１０…靴底、１１…外側靴底、１２…中間靴底、１３…滑り止めプレート、１４…挿入物、１５…後部キャップ、１６…前部キャップ、１８…層、２０…つま革、２１…つま革、２２…充填靴底。
【図１】
2011115276.tif 000003
【図２】
2011115276.tif 000004
【図３】
2011115276.tif 000005
【図４】
2011115276.tif 000006
【図５】
2011115276.tif 000007
【図６】
2011115276.tif 000008
【図７】
2011115276.tif 000009
【図８】
2011115276.tif 000010
【図９】
2011115276.tif 000011
【図１０】
2011115276.tif 000012
【図１１】
2011115276.tif 000013
【図１２】
2011115276.tif 000014
【手続補正書】
【提出日】平成22年8月26日(2010.8.26)
【手続補正１】
【補正対象書類名】明細書
【補正対象項目名】００１８
【補正方法】変更
【補正の内容】
【００１８】
図面と合わせて実施形態を以下に説明する。第一に、図１、図２、図３および図４だが、図１は本発明による組み合わせ靴の完成品の組立図であり、図２は図１の上面図であり、図３は図１の底面図であり、図４は図１の左側面図である。Ａ−Ａ１の断面（図５）において、靴底１０、つま革２０、つま革２０の踵をバックルで留めるための靴底１０の前部に位置する前部キャップ１６、つま革２０の踵をバックルで留めるための靴底１０の後部に位置する後部キャップ１５、つま革と靴底との間の滑り止め用の２対の合致した滑り止めプレート１３でそれぞれが半底／踵に位置するもの、および靴底につま革をきつく押しつける多数の加圧手段からなる本発明による組み合わせ靴が示されている。各前記靴底１０は、外側靴底１１、中間靴底１２、および内側靴底２２を含む。中間靴底１１と内側靴底２２との間にはＥＶＡ充填物の層１８がある。図中において、１１がゴム製の外側靴底、１２がＥＶＡ中間靴底、１３がＥＶＡ中間靴底に組み込まれたＴＰＵ（熱可塑性ポリウレタン樹脂）滑り止めプレートであり、それぞれ半底／踵に位置している。図中において、１４は外側靴底１１のＴＰＵ挿入物、１５はＴＰＵ後部キャップ、１６はＴＰＵ前部キャップ、１７はＴＰＵ製のきつく締めたひも、２０はいかなる種類の天然革／合革から製造することができるつま革、２２は屋内使用用のＥＶＡ充填靴底である。
【手続補正２】
【補正対象書類名】明細書
【補正対象項目名】００２０
【補正方法】変更
【補正の内容】
【００２０】
図５において、靴底１０にある前部キャップ１６および後部キャップ１５は、靴底１０につま革２０を固定するために使用される。外側靴底１１の挿入部１４から延びたきつく締めたひも１７は、靴底１０につま革２０を固く押しつけている。
【手続補正３】
【補正対象書類名】図面
【補正対象項目名】図２
【補正方法】変更
【補正の内容】
【図２】
2011115276.tif 000015
【手続補正４】
【補正対象書類名】図面
【補正対象項目名】図３
【補正方法】変更
【補正の内容】
【図３】
2011115276.tif 000016
【手続補正５】
【補正対象書類名】図面
【補正対象項目名】図４
【補正方法】変更
【補正の内容】
【図４】
2011115276.tif 000017
【外国語明細書】
2011115276000001.pdf